【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
軸芯体の外周面に少なくとも二つの層が形成されてなり、最も外側の表層が導電性樹脂層であり、該導電性樹脂層は、微小圧縮試験機により測定される１０％圧縮時の弾性率（以下、「１０％圧縮時弾性率」という）が０．５ｋＰａ〜１００ｋＰａの範囲にある導電性を有する弾性粒子を含むことを特徴とする弾性ローラ。
【請求項２】
前記弾性粒子の１０％圧縮時弾性率が、０．６ｋＰａ〜９７ｋＰａの範囲にある請求項１に記載の弾性ローラ。
【請求項３】
前記弾性粒子の７５％体積粒子径が、４μｍ〜６０μｍの範囲にある請求項１又は２に記載の弾性ローラ。
【請求項４】
前記弾性粒子の７５％体積粒子径が、６μｍ〜２４μｍの範囲にある請求項３に記載の弾性ローラ。
【請求項５】
前記弾性粒子の体積抵抗率が、１×１０3Ω・ｃｍ〜１×１０9Ω・ｃｍの範囲にある請求項１〜４のいずれか１項に記載の弾性ローラ。
【請求項６】
前記弾性粒子が、該弾性粒子の樹脂に対して、カーボンブラックを２質量％〜２０質量％を含有している請求項１〜５のいずれか１項に記載の弾性ローラ。
【請求項７】
前記弾性粒子が、結着樹脂としてのウレタン樹脂と、該結着樹脂に分散されたカーボンブラックとを含むものである請求項１〜６のいずれか１項に記載の弾性ローラ。
【請求項８】
感光ドラムに当接もしくは圧接している現像ローラを備え、該現像ローラがその表面に担持する現像剤を感光ドラムに形成された静電潜像に付与し、該静電潜像をトナー像として可視化する現像装置であって、該現像ローラが請求項１〜７のいずれか１項に記載の弾性ローラであることを特徴とする現像装置。
【請求項９】
静電潜像が形成される感光ドラム、該感光ドラムを帯電するための帯電装置、該感光ドラムの帯電領域に静電潜像を形成するための装置、該静電潜像に現像剤を付着させて可視化するための現像装置及び現像剤からなる画像を転写部材に転写するための転写装置を有する画像形成装置であって、
該現像装置が、請求項１〜７のいずれか１項に記載の弾性ローラを現像ローラとして有するものであることを特徴とする画像形成装置。
【請求項１０】
静電潜像が形成される感光ドラム、該感光ドラムを帯電するための帯電装置、該感光ドラムの帯電領域に静電潜像を形成するための装置、該静電潜像に現像剤を付着させて可視化するための現像装置及び現像剤からなる画像を転写部材に転写するための転写装置を有する画像形成装置であって、
該帯電装置が、請求項１〜７のいずれか１項に記載の弾性ローラを帯電ローラとして有するものであることを特徴とする画像形成装置。
【請求項１１】
静電潜像が形成される感光ドラム、感光ドラムを帯電するための帯電装置、感光ドラムの帯電領域に静電潜像を形成するための装置、静電潜像に現像剤を付着させて可視化するための現像装置及び現像剤からなる画像を転写部材に転写するための転写装置を有する画像形成装置であって、
該転写装置が、現像剤からなる画像を転写するために転写部材に帯電するための転写ローラを有するものであり、該転写ローラが請求項１〜７のいずれか１項に記載の弾性ローラであることを特徴とする画像形成装置。
【手続補正２】
【補正対象書類名】明細書
【補正対象項目名】００１９
【補正方法】変更
【補正の内容】
【００１９】
（１）軸芯体の外周面に少なくとも二つの層が形成されてなり、最も外側の表層が導電性樹脂層であり、該導電性樹脂層は、微小圧縮試験機により測定される１０％圧縮時の弾性率（以下、「１０％圧縮時弾性率」という）が０．５ｋＰａ〜１００ｋＰａの範囲にある導電性を有する弾性粒子を含むことを特徴とする弾性ローラ。
【手続補正３】
【補正対象書類名】明細書
【補正対象項目名】００２０
【補正方法】変更
【補正の内容】
【００２０】
（２）前記弾性粒子の１０％圧縮時弾性率が、０．６ｋＰａ〜９７ｋＰａの範囲にある上記（１）の弾性ローラ。
【手続補正４】
【補正対象書類名】明細書
【補正対象項目名】００２１
【補正方法】変更
【補正の内容】
【００２１】
（３）前記弾性粒子の７５％体積粒子径が、４μｍ〜６０μｍの範囲にある上記（１）及び（２）の弾性ローラ。
【手続補正５】
【補正対象書類名】明細書
【補正対象項目名】００２２
【補正方法】変更
【補正の内容】
【００２２】
（４）前記弾性粒子の７５％体積粒子径が、６μｍ〜２４μｍの範囲にある上記（３）の弾性ローラ。
【手続補正６】
【補正対象書類名】明細書
【補正対象項目名】００２３
【補正方法】変更
【補正の内容】
【００２３】
（５）前記弾性粒子の体積抵抗率が、１×１０3Ω・ｃｍ〜１×１０9Ω・ｃｍの範囲にある上記（１）〜（４）の弾性ローラ。
【手続補正７】
【補正対象書類名】明細書
【補正対象項目名】００２４
【補正方法】変更
【補正の内容】
【００２４】
（６）前記弾性粒子が、該弾性粒子の樹脂に対して、カーボンブラック２質量％〜２０質量％を含有している上記（１）〜（５）の弾性ローラ。
【手続補正８】
【補正対象書類名】明細書
【補正対象項目名】００２５
【補正方法】変更
【補正の内容】
【００２５】
（７）前記弾性粒子が、結着樹脂としてのウレタン樹脂と、該結着樹脂に分散されたカーボンブラックとを含むものである上記（１）〜（６）の弾性ローラ。
【手続補正９】
【補正対象書類名】明細書
【補正対象項目名】００２６
【補正方法】変更
【補正の内容】
【００２６】
（８）感光ドラムに当接もしくは圧接している現像ローラを備え、該現像ローラがその表面に担持する現像剤を感光ドラムに形成された静電潜像に付与し、該静電潜像をトナー像として可視化する現像装置であって、該現像ローラが上記（１）〜（７）のいずれかの弾性ローラであることを特徴とする現像装置。
【手続補正１０】
【補正対象書類名】明細書
【補正対象項目名】００２７
【補正方法】変更
【補正の内容】
【００２７】
（９）静電潜像が形成される感光ドラム、該感光ドラムを帯電するための帯電装置、該感光ドラムの帯電領域に静電潜像を形成するための装置、該静電潜像に現像剤を付着させて可視化するための現像装置及び現像剤からなる画像を転写部材に転写するための転写装置を有する画像形成装置であって、該現像装置が、上記（１）〜（７）のいずれかの弾性ローラを現像ローラとして有するものであることを特徴とする画像形成装置。
【手続補正１１】
【補正対象書類名】明細書
【補正対象項目名】００２８
【補正方法】変更
【補正の内容】
【００２８】
（１０）静電潜像が形成される感光ドラム、該感光ドラムを帯電するための帯電装置、該感光ドラムの帯電領域に静電潜像を形成するための装置、該静電潜像に現像剤を付着させて可視化するための現像装置及び現像剤からなる画像を転写部材に転写するための転写装置を有する画像形成装置であって、該帯電装置が上記（１）〜（７）のいずれかの弾性ローラを帯電ローラとして有するものであることを特徴とする画像形成装置。
【手続補正１２】
【補正対象書類名】明細書
【補正対象項目名】００２９
【補正方法】変更
【補正の内容】
【００２９】
（１１）静電潜像が形成される感光ドラム、感光ドラムを帯電するための帯電装置、感光ドラムの帯電領域に静電潜像を形成するための装置、静電潜像に現像剤を付着させて可視化するための現像装置及び現像剤からなる画像を転写部材に転写するための転写装置を有する画像形成装置であって、該転写装置が、現像剤からなる画像を転写するために転写部材に帯電するための転写ローラを有するものであり、該転写ローラが上記（１）〜（７）のいずれかの弾性ローラであることを特徴とする画像形成装置。
【手続補正１３】
【補正対象書類名】明細書
【補正対象項目名】００３５
【補正方法】変更
【補正の内容】
【００３５】
画像形成装置に組み込まれている現像ローラ、帯電ローラ、転写ローラは、電気的なバイアスを印加して、又は、接地されて、使用されるのが一般的であるので、軸芯体１を導電性の基体、所謂軸芯金の形態とする。例えば、帯電ローラ用の弾性ローラでは、軸芯体は、ローラの支持部材であることは勿論であるが、帯電部材の電極として機能するものであり、例えば、アルミニウム，銅合金，ステンレス鋼等の金属又は合金、あるいは、クロム，ニッケル等で鍍金処理を施した鉄、合成樹脂など、少なくともその外周面は、その上に形成されるゴム等の弾性層に所定の電圧を印加するに十分な導電性の材質で構成される。画像形成装置に利用される現像ローラ、帯電ローラ、転写ローラにおいては、軸芯体の外径は、通常４ｍｍ〜１０ｍｍの範囲とされる。
【手続補正１４】
【補正対象書類名】明細書
【補正対象項目名】００６５
【補正方法】変更
【補正の内容】
【００６５】
導電性高分子化合物としては、ホストポリマーとして、ポリアセチレン、ポリ（ｐ−フェニレン）、ポリピロール、ポリチオフェニン、ポリ（ｐ−フェニレンオキシド）、ポリ（ｐ−フェニレンスルフィド）、ポリ（ｐ−フェレンビニレン）、ポリ（２，６−ジメチルフェニレンオキサイド）、ポリ（ビスフェノールＡカーボネート）、ポリビニルカルバゾール、ポリジアセチレン、ポリ（Ｎ−メチル−４−ビニルピリジン）、ポリアニリン、ポリキノリン、ポリ（フェニレンエーテルスルフォン）等を使用し、これらにドーパントとして、ＡｓＦ5、Ｉ2、Ｂｒ2、ＳＯ3、Ｎａ、Ｋ、ＣｌＯ4、ＦｅＣｌ3、Ｆ、Ｃｌ、Ｂｒ、Ｉ、Ｋｒ、Ｌｉ、ＴＣＮＱ（７，７，８，８−テトラシアノキノジメタン）等をドープしたものが利用できる。
【手続補正１５】
【補正対象書類名】明細書
【補正対象項目名】００８３
【補正方法】変更
【補正の内容】
【００８３】
潜像担持体としての感光ドラム２１が矢印Ａ方向に回転し、感光ドラム２１を帯電処理するための帯電装置（帯電ローラ）２２によってそこを通過した感光ドラム２１の領域が一様に帯電される。次いで、この帯電領域に、画像情報を書き込む露光手段であるレーザー光２３により露光され、静電潜像が形成される。該静電潜像は、感光ドラム２１に対して近接配置され、現像剤たるトナーを保持した現像ローラ２５の表面からトナーが付与されることにより現像され、感光ドラム２１表面にトナー像として可視化（顕像化）される。なお、静電潜像からトナー像を形成するに際し、レーザー光露光した部分にトナー像が形成されるいわゆる反転現像であっても良い。